(57)【要約】【課題】同一視野からの観察又は表裏各々の観察でも、光学的画像情報の表示を任意に変更することを可能とする表示媒体の提供。【解決手段】画像表示部と、画像表示部に電力を供給するための電力供給部とを備えた表示媒体であって、画像表示部が、光の反射と透過を電圧で制御することのできる調光素子層と、光学的画像情報が記録されている回折構造層とを備え、回折構造層が調光素子層の表裏両面に設けられ、電力供給部が調光素子層と接続されている表示媒体；または積層された複数の画像表示部と、画像表示部に電力を供給するための電力供給部とを備えた表示媒体であって、各画像表示部が、光の反射と透過を電圧で制御することのできる調光素子層と、光学的画像情報が記録されている回折構造層と、を備え、回折構造層が調光素子層の表裏面のうちの少なくとも一方の面に設けられ、電力供給部が調光素子層と接続されている表示媒体。【選択図】図６
2018013706.tif 000002
【特許請求の範囲】
【請求項１】
（ａ）画像表示部と、
（ｂ）前記画像表示部に電力を供給するための電力供給部と、
を備えた表示媒体であって、
前記画像表示部が、
（ａ−１）光の反射と透過を電圧で制御することのできる調光素子層と、
（ａ−２）光学的画像情報が記録されている回折構造層と、を備え、
前記回折構造層が、前記調光素子層の表裏両面に設けられ、
前記電力供給部が、前記調光素子層と接続されている、
ことを特徴とする表示媒体。
【請求項２】
（ａ）積層された複数の画像表示部と、
（ｂ）前記複数の画像表示部に電力を供給するための電力供給部と、
を備えた表示媒体であって、
それぞれの前記画像表示部が、
（ａ−１）光の反射と透過を電圧で制御することのできる調光素子層と、
（ａ−２）光学的画像情報が記録されている回折構造層と、を備え、
前記回折構造層が、少なくとも前記調光素子層の表裏面の一方の面に設けられ、
前記電力供給部が、それぞれの前記調光素子層と接続されている、
ことを特徴とする表示媒体。
【請求項３】
前記電力供給部が、それぞれの前記画像表示部の調光素子層に、独立して電力を供給することができる、ことを特徴とする請求項２に記載の表示媒体。
【請求項４】
前記光学的画像情報が、少なくとも２以上の回折構造層間で位置合わせされていることを特徴とする、請求項１〜３のいずれかに記載の表示媒体。
【請求項５】
少なくとも一の前記調光素子層が、光の反射と透過を電圧で制御することができる一定形状の制御可能部分領域と、残余の制御不能部分領域とを有することを特徴とする請求項１〜４のいずれか一項に記載の表示媒体。
【請求項６】
請求項１〜５のいずれか一項に記載の表示媒体を貼付した物品。
【請求項７】
請求項１〜５のいずれか一項に記載の表示媒体を用い、前記電力供給部から前記調光素子層への電圧を変化させることで、前記回折構造層に予め記録された光学的画像情報を表示させる方法。
【発明の詳細な説明】
【技術分野】
【０００１】
本発明は、光学的画像情報が記録されている回折構造層を備えた表示媒体に関する。
【背景技術】
【０００２】
近年、物品（偽造防止対象物）に取り付ける事により一目で容易に真贋を判定する事が可能であり、取り扱いも容易である事から回折格子パターンが記録された回折構造物が偽造防止手段として広く使われている。このような偽造防止手段として採用される回折構造物としては、例えば、基材上に剥離性を持つ剥離層、回折格子が形成された回折構造形成層、金属光沢を持つ反射層、接着層を順次積層して回折構造物を転写箔化したものがある（例えば、特許文献１参照）。
【０００３】
また、透明な回折格子として、反射層に透明金属蒸着薄膜や無機化合物の薄膜を形成する事により、反射層より下層に位置するものも、回折格子を通して目視にて観察出来るようにしたものもある（例えば、特許文献２参照）。
【０００４】
しかし、これら従来用いられている回折構造物は、何れも金属光沢を持った蒸着薄膜や透明金属薄膜が決まったパターン状に形成されているか、または、全体に形成されているため、回折構造の視覚的な変化は、予め回折構造に記録された視角の変化によるパターンや色彩の変化だけであった。すなわち、回折構造による光学的な視覚効果である回折光パターンを得るために回折構造層に接した反射層が全面、またはパターン状に任意の形状で積層されているため、反射層の透過濃度や反射濃度については変化することなく一定であった。さらに、従来の透明金属薄膜からなる反射層では、より下層に位置する印刷などによる画像の視認性と回折光パターンの視認性とが各々反射光と透過光の関係からトレードオフの関係にあるため、視認性の両立は妥協が必要であった。
【０００５】
また、２種類の回折構造物を貼り合わせ、表裏で異なる絵柄を観察出来るようにしたものもある（例えば特許文献３参照）。
【０００６】
他方、近年、エネルギー消費量の低減のため、遮光効果による断熱性の向上を目指した、調光ガラスの開発が進展している。調光ガラスは、光学的な特性を任意に制御できるようにガラス上に薄膜材料を組み合わせた調光ミラー素子を形成することで実現でき、特に薄膜材料が全て固体で形成できる場合には、ガラス上だけではなく、折り曲げることも可能なプラスチックフィルム上にも形成することが可能である。（例えば、特許文献４、非特許文献１等参照）これらの調光ミラー素子の用途としては、現状、自動車や建物の窓ガラスや、液晶ディスプレイなどの電子表示装置などに限られており、その他の用途には適用されていない。
【先行技術文献】
【特許文献】
【０００７】
【特許文献１】特開昭６１−１９０３６９号公報
【特許文献２】特公平１−５４７０９号公報
【特許文献３】特開２００９−１３４０９４号公報
【特許文献４】特開２０１４−１１２１８３号公報
【非特許文献】
【０００８】
【非特許文献１】Adv. Mater. 2012, 24, OP122-OP126, S. Arakiら
【発明の概要】
【発明が解決しようとする課題】
【０００９】
本発明は、上記に鑑み、記録されている光学的画像情報の表示を、同一視野からの観察中、または、表裏各々の観察中でも任意に変更することを可能とする表示媒体およびそれを用いた画像表示方法の提供を目的とする。
【課題を解決するための手段】
【００１０】
本発明の第一の態様は、
（ａ）画像表示部と、
（ｂ）前記画像表示部に電力を供給するための電力供給部と、
を備えた表示媒体であって、
前記画像表示部が、
（ａ−１）光の反射と透過を電圧で制御することのできる調光素子層と、
（ａ−２）光学的画像情報が記録されている回折構造層と、を備え、
前記回折構造層が、前記調光素子層の表裏両面に設けられ、
前記電力供給部が、前記調光素子層と接続されている、
ことを特徴とする表示媒体である。
【００１１】
本発明の第二の態様は、
（ａ）積層された複数の画像表示部と、
（ｂ）前記複数の画像表示部に電力を供給するための電力供給部と、
を備えた表示媒体であって、
それぞれの前記画像表示部が、
（ａ−１）光の反射と透過を電圧で制御することのできる調光素子層と、
（ａ−２）光学的画像情報が記録されている回折構造層と、を備え、
前記回折構造層が、少なくとも前記調光素子層の表裏面の一方の面に設けられ、
前記電力供給部が、それぞれの前記調光素子層と接続されている、
ことを特徴とする表示媒体である。
【００１２】
また、本発明の他の態様は、本発明の第一の態様または第二の態様の表示媒体を貼付した物品である。
【００１３】
また、本発明の更なる態様は、本発明の第一の態様または第二の態様の表示媒体を用い、電力供給部から調光素子層への電圧を変化させることで、回折構造層に予め記録された光学的画像情報を表示させる方法である。
【発明の効果】
【００１４】
（本発明の第一の態様）
本発明の第一の態様では、光学的画像情報が記録されている回折構造層が、光の反射と透過を電圧で制御する調光素子層の表裏両面に設けられている。
【００１５】
このため、調光素子層をある一定の電力供給状態（たとえば、電力供給状態）にした場合に、表側面から観察した時の画像と、裏側面から観察した時の画像が、表裏で各々異なる画像を表示することができる。他方、別の電力供給状態（たとえば、電力非供給状態）にした場合に、調光素子層が透明となって表裏両面の回折構造部に記録された光学的画像情報がほとんど視認できなくして、観察面の反対側が透けて見える状態とすることができる。
【００１６】
（本発明の第二の態様）
また、本発明の第二の態様では、光学的画像情報が記録されている回折構造層と、光の反射と透過を電圧で制御する調光素子層と、を備える画像表示部が２つ以上積層されて構成されている。このため、本発明の第一の態様よりも、さらに多様な光学画像情報の提供が可能となる。
【００１７】
本発明の第二の態様のより好ましい一実施形態においては、各画像表示部の調光素子層への電力の供給を制御することで、任意の組み合わせの光学的画像情報を表示することも可能となる。
【００１８】
たとえば、複数の調光素子層に各々独立して電力を供給するように設定する、より好ましい一実施態様においては、同一視野から視認できる画像を、複数のパターンでより多様に変更することができる。
【００１９】
さらに、より好ましい一実施形態として、光学的画像情報が任意の２以上の回折構造層間で位置合わせされている一実施形態；あるいは調光素子層が光の反射と透過を電圧で制御することができる、一定形状の制御可能部分領域と残余の制御不能部分領域とを有する一実施形態を挙げることができる。これらの実施形態おいては、調光素子層への電力供給パターンの変化により、視認される光学的画像情報が切り替わる前後で光学的画像情報の一部だけを変化させて動きや変化を表現した表示が可能となり、また、表裏で異なる光学画像情報を表示することも可能となる。
【００２０】
（本発明の他の態様）
さらに本発明の他の態様では、本発明の表示媒体を貼付した物品、あるいは本発明の表示媒体を用い、電力供給部から調光素子層への電圧を変化させることで、回折構造層に予め記録された光学的画像情報を表示させる方法を提供し、例えば、これらに限定されないが、認証、偽造防止、装飾、玩具および学習教材等の分野で利用することができる。
【図面の簡単な説明】
【００２１】
【図１】表示媒体１（本発明の第一の態様の一実施形態）の構成を表す概略図である。
【図２】表示媒体１（本発明の第一の態様の一実施形態）において、調光素子層１４が透明状態（１４ａ）である場合に、表側面及び裏側面から観察した平面図である。
【図３】表示媒体１（本発明の第一の態様の一実施形態）において、調光素子層１４が鏡面状態（１４ｂ）である場合に、表側面のある観察角度から観察した平面図である。
【図４】表示媒体１（本発明の第一の態様の一実施形態）において、調光素子層１４が鏡面状態（１４ｂ）である場合に、裏側面のある観察角度から観察した平面図である。
【図５】表示媒体１（本発明の第一の態様の一実施形態）において、調光素子層１４が透明状態（１４ａ）である場合の光の状態を表す概略図である。
【図６】表示媒体１（本発明の第一の態様の一実施形態）において、調光素子層１４が鏡面状態（１４ｂ）である場合の光の状態を表す概略図である。
【図７】表示媒体２（本発明の第二の態様の一実施形態）の構成を表す概略図である。
【図８】表示媒体２（本発明の第二の態様の一実施形態）において、調光素子層１５、１６の両方が透明状態（１５ａ、１６ａ）である場合に、表側面及び裏側面から、観察した平面図である。
【図９】表示媒体２（本発明の第二の態様の一実施形態）において、調光素子層１６が鏡面状態（１６ｂ）である場合に、裏側面から観察した平面図である。
【図１０】表示媒体２（本発明の第二の態様の一実施形態）において、調光素子層１５、１６がともに透明状態（１５ａ、１６ａ）である場合の光の状態を表す概略図である。
【図１１】表示媒体２（本発明の第二の態様の一実施形態）において、調光素子層１５、１６がともに鏡面状態（１５ｂ、１６ｂ）である場合の光の状態を表す概略図である。
【図１２】表示媒体２（本発明の第二の態様の一実施形態）において、調光素子層１５が透明状態（１５ａ）で、調光素子層１６が鏡面状態（１６ｂ）である場合の光の状態を表す概略図である。
【図１３】表示媒体２（本発明の第二の態様の一実施形態）において、調光素子層１５が鏡面状態（１５ｂ）で、調光素子層１６が透明状態（１６ａ）である場合の光の状態を表す概略図である
【図１４】表示媒体３（本発明の第二の態様の一実施形態）の構成を表す概略図である。
【図１５】表示媒体３（本発明の第二の態様の一実施形態）において、調光素子層１５の一部が鏡面状態で他の部分が透明状態（１５ｃ）で、調光素子層１６が鏡面状態（１６ｂ）である場合（図２０参照）に、表側面のある観察角度から観察（１９ｂ）した平面図の一例である。
【図１６】表示媒体３（本発明の第二の態様の一実施形態）において、調光素子層１５が透明状態（１５ａ）で、調光素子層１６が鏡面状態（１６ｂ）である場合（図２１参照）に、表側面のある観察角度から観察（１９ｂ）した平面図である。
【図１７】表示媒体３（本発明の第二の態様の一実施形態）において、調光素子層１５の一部が鏡面状態で他の部分が透明状態（１５ｃ）で、調光素子層１６が透明状態（１６a）である場合（図２２参照）に、表側面のある観察角度から観察（１９ａ、１９ｂ）した平面図である。
【図１８】表示媒体３（本発明の第二の態様の一実施形態）において、調光素子層１５の一部が鏡面状態で他の部分が透明状態（１５ｃ）で、調光素子層１６が透明状態（１６a）である場合（図２２参照）に、裏側面のある観察角度から観察（２０ａ、２０ｂ）した平面図である。
【図１９】表示媒体３（本発明の第二の態様の一実施形態）において、調光素子層１５、１６が両方とも透明状態（１５ａ、１６ａ）である場合の光の状態を表す概略図である。
【図２０】表示媒体３（本発明の第二の態様の一実施形態）において、調光素子層１５の一部が鏡面で他の部分が透明状態（１５ｃ）で、調光素子層１６が鏡面状態（１６ｂ）である場合の光の状態を表す概略図である。
【図２１】表示媒体３（本発明の第二の態様の一実施形態）において、調光素子層１５が透明状態（１５ａ）で、調光素子層１６が鏡面状態（１６ｂ）である場合の光の状態を表す概略図である。
【図２２】表示媒体３（本発明の第二の態様の一実施形態）において、調光素子層１５の一部が鏡面で他の部分が透明状態（１５ｃ）で、調光素子層１６が透明状態（１６ａ）である場合の光の状態を表す概略図である。
【図２３】表示媒体１（本発明の第一の態様の一実施形態）を製品支持体４２上に設け、カバー部材４３（図２４参照）を備えてなり、調光素子層１４が鏡面状態（１４ｂ）である場合（図６参照）の、実施例１に係る物品５０の表側面のある観察角度から平面図である。
【図２４】図２３の物品５０をＸＸＶ線で切断した場合の断面図である。
【図２５】表示媒体２（本発明の第二の態様の一実施形態）を製品支持体４２上に設け、カバー部材４３（図２６参照）備えてなり、調光素子層１５が透明状態（１５ａ）で調光素子層１６が鏡面状態（１６ｂ）である場合(図１２参照）の、実施例２に係る物品５１の表側面のある観察角度からみた平面図である。
【図２６】図２５の物品５１をＸＸＶＩＩ線で切断した場合の断面図である。
【図２７】表示媒体３（本発明の第二の態様の一実施形態）を製品支持体４２上に設け、カバー部材４３（図２８参照）を備えてなり、調光素子層１５の一部が鏡面で他の部分が透明状態（１５ｃ）で、調光素子層１６が鏡面状態（１６ｂ）である場合（図２０参照）の、実施例３に係る物品５２の表側面のある観察角度からみた平面図である。
【図２８】図２７の物品５２をＸＸＩＸ線で切断した場合の断面図である。
【発明を実施するための形態】
【００２２】
以下、本発明の好適な実施形態を、図面を参照しながら詳細に説明する。
【００２３】
尚、以下に示す実施形態は、本発明の単なる一例であって、当業者であれば、適宜設計変更可能である。
【００２４】
［Ｉ．本発明の態様に共通する基本的構成要素］
図１は、本発明の第一の態様に属する一実施形態である表示媒体１の構成を表す概略図である。
【００２５】
また、図７及び図１４は、それぞれ本発明の第二の態様に属する互いに異なる一実施形態である表示媒体２及び表示媒体３の構成を表す概略図である。
【００２６】
（回折構造層）
回折構造層（１０、１１）は、それぞれ回折構造（１２、１３）を備えた光透過性部材である。
【００２７】
後述するように、調光素子層が鏡面状態（１４ｂ、１５ｂ、１６ｂ）にある場合、光学画像情報が記録されている回折構造（１２、１３）に光が入射することで回折光を発生し、この回折光が２Ｄまたは３Ｄによる立体視が可能な画像を表示する。
【００２８】
回折構造（１２、１３）に記録される光学的画像情報は単数であっても、複数であってもよい。記録される光学的画像情報が複数ある場合、本発明の表示媒体は、同一視野からの観察中に視認できる画像を、後述する調光素子層（１４、１５、１６）の制御により任意に変更することができる。
【００２９】
ここで、本発明において「光学的画像情報」とは、回折構造（１２、１３）に光が入射することで発生した回折光により表示される２Ｄまたは３Ｄによる視認可能な画像情報のことをいう。詳細には絵柄や文字、色の変化を含む視覚認識可能なパターンなどで構成される。
【００３０】
また、本発明において、「画像」とは視覚により認識できる情報をいい、イラスト等の絵画的画像のほか、文字、模様、色彩、形状を含む。さらに、本発明の画像は上記回折光により表示されたものに限られず、後述する印刷層に形成された画像および各構成要素の色彩も含む。
【００３１】
本発明の回折構造層（１０、１１）及び回折構造（１２、１３）は、当分野で知られている材料および形成方法により形成することができる。
【００３２】
本発明の回折構造層（１０、１１）を形成する材料としては、好ましくは光透過性材料である、熱可塑性樹脂、熱硬化性樹脂、紫外線あるいは電子線硬化性樹脂等が使用できる。例えば、熱可塑性樹脂では、アクリル系樹脂、エポキシ系樹脂、セルロース系樹脂、ビニル系樹脂等が挙げられる。また熱硬化性樹脂としては、反応性水酸基を有するアクリルポリオールやポリエステルポリオール等にポリイソシアネートを架橋剤として添加して架橋させたウレタン樹脂、メラミン系樹脂、フェノール系樹脂等が使用できる。また、紫外線あるいは電子線硬化性樹脂としては、エポキシ（メタ）アクリル、ウレタン（メタ）アクリレート等が使用できる。これらの材料を主材料として、回折構造層（１０、１１）は、グラビア印刷法やマイクログラビア法等、公知の塗布方法によって形成することができる。
【００３３】
また回折構造層（１０、１１）への光学的画像情報の記録方法も、当分野でよく知られた方法を用いることができる。例えば、これらに限定されないが、微細な凹凸構造である回折構造（１２、１３）は、回折構造層（１０、１１）に直接、形成してもよいし、また干渉性のよい光によって得られた像の回折光を記録させた感光材料を回折構造層（１０、１１）に組み込んでもよい。
【００３４】
光学的画像情報が回折構造（１２、１３）を用いて記録される場合、微細凹凸構造である回折構造（１２及び１３）を形成するためにはレリーフ版が使用されることが好ましい。レリーフ版は、まず、電子線硬化型樹脂の表面に電子線を照射して所望のパターンで露光し、その後、現像する事によってマスター版を作製し、続いて、このマスター版の表面に電気メッキ法で金属膜を形成してマスター版の凹凸パターンを複製することによって作製される。そして、回折構造部(１０、１１）形成用材料に、このレリーフ版を熱圧着させるか、未硬化の硬化型樹脂にレリーフ版を密着させながら硬化する事で、微細な凹凸構造を持つ回折構造（１２、１３）が形成される。
【００３５】
（調光素子層）
本発明の調光素子層（１４、１５、１６）は、電圧により光の透過と反射を制御する、たとえば透明状態（１４ａ、１５ａ、１６ａ）〜鏡面状態（１４ｂ、１５ｂ、１６ｂ）に変化させることができる。そのため、電圧により光の透過と反射を制御することができるものであれば、その制御方法は限定されるものではない。例えば、電気的にスイッチングするエレクトロクロミック型と、周囲のガスによってスイッチングするガスクロミック型とを用いることができる。利便性や安全性の面から、エレクトロミック型が好ましく、全層が液体や気体ではなく固体からなる、全固体エレクトロクロミック型調光ミラーがさらに好ましい。
【００３６】
エレクトロミック型調光ミラーは当分野で既知の構造であってもよく、例えば、調光ミラー層／触媒層／電解質層／イオン蓄積層／導電層、の順に積層したもの、または、調光ミラー層／触媒層／バッファ層／電解質層／イオン蓄積層／導電層、の順に積層したものが利用可能である。
【００３７】
ガスクロミック型及びエレクトロクロミック型の調光ミラー層の材料としては、イットリウムやランタンなどの希土類金属や、希土類金属の水素化物とマグネシウムとの合金、マグネシウムと遷移金属との合金、マグネシウムとニッケルの合金などが知られているが、エレクトロクロミック型調光ミラーにおける調光素子の材料としては、マグネシウムとニッケルとの合金が好ましく使用できる。
【００３８】
また、触媒層の材料としては、パラジウムや白金など、電解質層の材料としては酸化タンタルや酸化ジルコニウムなど、イオン貯蔵層としては、酸化タングステンなど、透明導電膜としては、酸化インジウムや酸化錫、酸化亜鉛など、をそれぞれ使用することができる。また、いずれの薄膜も、真空蒸着法やスパッタリング法など、所望の厚みを得るための公知の方法が適用できるが、特にこれらの層構成や材料、作製方法に限定されるものではない。
【００３９】
なお、材料構成により、ある方向（＋）に電圧を印加すると鏡面になるものもあれば、透明になるものもある。さらに、ある方向に電圧をかけて鏡面ないし透明とした後に、鏡面／透明、あるいは透明／鏡面を切り替えるのに、電源をオフにすれば足りるものもあれば、反対方向（−）に電圧を印加しなければならないものもある。本態様の発明では、これらのいずれの材料構成を用いてもよい。
【００４０】
本発明の調光素子層（１４、１５、１６）は、本発明の一実施形態において回折構造部とは隣接していてもよく、また光の透過を妨げないものであれば、回折構造層（１０、１１）との間に接着層等の透明な層（図示せず）を任意選択的に挿入してもよい。また、印刷層（図示せず）を組み込んでもよい。但し、反射により得られる光学的画像の輝度の観点から、できるだけ調光素子層と回折構造（１２、１３）は隣接しているか、挿入される任意の透明な層と回折構造層（１０、１１）との屈折率差が少ないことが好ましい。
【００４１】
本発明の調光素子層（１４、１５、１６）は、調光素子層全体において、外部電圧により光の透過と反射を制御できてもよいが、本発明の少なくとも一の調光素子層が一定形状の（パターニングされた）制御可能部分領域を有し、残余の部分領域が制御不能領域となっていてもよい（たとえば、実施例３の表示媒体３の調光素子層１５）。
【００４２】
あるいはまた、制御可能部分領域は複数の領域から形成されていてもよく、この場合、制御不能領域を必ずしも含まなくてもよい。
【００４３】
（電力供給部）
本発明の電力供給部１７は接続部１８で調光素子層１４乃至１６に接続され、電圧の変化に伴い、調光素子層（１４、１５、１６）の光の透過と反射を制御する、たとえば、鏡面状態と透明状態とを切り替えることができる。
【００４４】
電力供給部１７は、調光素子層（１４、１５、１６）の光の透過／反射状態を変化させるのに十分な電圧をかけることができるものであればよく、例えば、外部電力と接続するための端子、外部電磁波により交流電流を発生しうるアンテナ部、太陽電池、およびペーパー電池などを用いることができる。すなわち、調光素子層との接続は有線接続のみならず無線接続も含まれる。
【００４５】
電力供給部１７から調光素子層（１４、１５、１６）に、ある方向（＋）に電圧を印加した場合、調光素子層（１４、１５、１６）はある状態、たとえば鏡面状態となり（１４ｂ、１５ｂ、１６ｂ）、回折構造（１２、１３）を透過して発生した回折光を反射させ、該回折光により回折構造（１２、１３）に記録されていた光学的画像情報が表示される（図３、図４、図１５、図１６等参照）。他方、電力供給部１７から調光素子層（１４、１５、１６）に電圧がかけられていない場合、あるいは反対方向（−）に電圧を印加した場合、調光素子層（１４、１５、１６）は別の状態、たとえば透明状態であり（１４ａ、１５ａ、１６ａ）、光が透過する（図５、図１０、図１９参照）。
【００４６】
また、電力供給部１７にアンテナ部を内蔵している場合、たとえば本発明の表示媒体（１、２、３）に、電磁波または磁束を放出する機器に近づけると、非接触状態であっても調光素子層（１４〜１６）に電圧がかかり、回折構造（１２、１３）の像を表示することができる。該アンテナ部は、外部からの電磁波または磁束を受けて交流電流を発生させるように設計されたアンテナ３１と、アンテナ３１で発生した交流電流を整流して直流に変換し、さらに発生電圧を一定にするためのＩＣチップ３２とを含む（図２３〜２８）。
【００４７】
アンテナ３１の材料としては、銅や銀、アルミなどの公知の導電性金属材料が使用可能であり、ＩＣチップ３２は整流機能と一定電圧保持機能を有し、更に複数の調光素子層を備える場合には個々の調光素子層の電力供給を制御できる機能を有し、更に薄型で小型のものが好適に使用できる。
【００４８】
アンテナ３１の作製方法としては、例えば、アンテナ基盤層として、予め樹脂材料からなる層を形成してその樹脂層上に金属薄膜を形成し、次にその金属薄膜上に所望のアンテナ形状にマスク剤を塗布、乾燥させ、更にエッチング法を用いて不要な金属薄膜を溶解、除去し、最後にマスク剤を除去してアンテナ３１を作製し、これにＩＣチップ３２を接続、固定することができる。
【００４９】
また、別の方法としては、予め前記樹脂層上に、調光素子層と回折構造層とを形成し、調光素子層とＩＣチップ３２とを接続した状態で積層し、次に、ＩＣチップ３２の別の端子に接続するように、導電性金属粒子を含む導電性インキをスクリーン印刷法やグラビア印刷法などで塗布してアンテナ３１を作製してもよい。
【００５０】
さらに、本願発明の一実施態様において、本発明の電力供給部１７は調光素子層が複数ある場合においても共通して１組の端子を提供してもよいし、複数の調光素子層に各々個別に端子を提供するものであってもよい。多様な画像表示の観点からは後者の方がより好ましい。また、調光素子層がパターニングされて一定形状の複数の制御可能部分領域を有し、複数の制御可能部分の各々に対応した複数の端子を含んでもよい。
【００５１】
電力供給部１７が複数の端子を含む場合、本発明の第二の態様の表示媒体（たとえば実施例２の表示媒体２）は、表示状態に対応したそれらの端子への電力供給の制御や、それを処理する機能をＩＣチップ３２に備えてもよい。このような機能により、例えば予めパターン化された複数の調光素子層（１５及び１６）の信号パターンを選択し、表示媒体２の外部から当該パターンのパターン信号を発信する。ついで、該パターン信号を調光素子層（１５及び１６）の駆動用電力と共に表示媒体２のアンテナ３１が受信してＩＣチップ３２に送り、さらにＩＣチップ３２が該信号を処理して電力供給部１７から調光素子層（１５及び１６）にかけられる電圧を制御し、与えられた電圧に応じて調光素子部層（１５及び１６）は各々パターン状態を個別に変化させることができる。
【００５２】
［ＩＩ．その他の任意の構成要素］
本発明の表示媒体、たとえば実施例１〜３の表示媒体１〜３は、上記構成および機能を妨げるものでない限り、更に任意の構成要素を備えてもよい。例えば後述する構成要素を備えてもよいが、これらに限られないことは当業者に理解しうるものである。
【００５３】
（接着部材／接着層）
接着部材は、たとえば本発明の表示媒体、たとえば実施例１〜３の表示媒体１〜３を基材に貼付するために用いられる。接着部材は本発明の表示媒体、たとえば表示媒体１〜３の最下層に接着層４１として形成されてもよく（図２４、図２６、図２８参照）、また表示媒体１〜３を覆い、基材に貼付する粘着性の透明なカバー部材４３であってもよい（図２４、図２６、図２８参照）。接着部材には当分野で公知の材料を用いることができ、被貼付物によっては、感圧タイプや、感熱タイプの接着剤も使用することができる。
【００５４】
（製品支持体）
製品支持体４２は、本発明の表示媒体、たとえば実施例１〜３の表示媒体１〜３が上記接着部材を有する場合に、接着面を保護する離型紙、または離型フィルムとして使用されるものである。製品支持体４２に用いられる材料としては、上質紙やコート紙、不織布などに離型材料を塗布した離型紙や、塩化ビニル樹脂やポリエステルテレフタレート樹脂（通称ＰＥＴ）、ポリエチレン樹脂などをフィルム化し、これに離型層（剥離層）を設けた離型フィルムなどが利用可能であり、透明ではない材料を基材として用いる場合には、表示媒体を貼付した際に、貼付した反対面から回折構造を観察することができる観察窓（たとえば窓開き部４６）を形成するための、基材に穴開け加工を行うのが好ましい。
【００５５】
（隠蔽層）
隠蔽層４４は、アンテナ部に設けられているアンテナ３１やＩＣチップ３２を隠蔽して意匠性を向上させることを目的とした層であり（図２３〜２８参照）、アンテナ等の隠蔽層４４と接触する他層との層間密着性と隠蔽性とが両立できる限り、公知の材料が使用できる。例えば、市販の印刷用白色インキや隠蔽用銀インキなどが使用可能である。
【００５６】
（印刷層）
印刷層４５は文字やイラスト、模様など、目視にてその形状を視認するための層である。印刷層４５は装飾性および／または機能性を考慮して、本発明の表示媒体、たとえば表示媒体１〜３の任意の位置、及び製品支持体４２上の任意の位置に形成することができる。
【００５７】
印刷層４５には、目視での視認性が良好であり、且つ、調光素子層（１４〜１６）や回折構造層（１０、１１）等の直接、接触する層との密着性が良好である限り、公知の材料や市販の印刷用インキが使用可能である。形成方法も、凸版印刷法やグラビア印刷法、オ
フセット印刷法、スクリーン印刷法など、公知の印刷方法により形成することができる。
【００５８】
（脆性部）
脆性部（図示せず）は、基材に貼付した本発明の表示媒体、たとえば表示媒体１〜３を、基材から物理的または化学的方法により剥離する際に、容易に損傷し、表示媒体の貼り替えを不可能にする部分である。
【００５９】
例えば、表示媒体１〜３の樹脂層の一部分に厚みが極端に薄い部分を設けたり、伸縮性の高い柔軟性を持った柔軟樹脂層を部分的に設けたり、部分的に破断した箇所を設けたりすることにより、本発明の表示媒体の少なくとも一部が物理的に脆くなるように作製することができる。また、表示媒体を構成する少なくとも一の層を、接着層を溶解しない任意の有機溶媒で容易に溶解する材料で形成することにより、化学的に損傷しやすい層を設けることができる。
【００６０】
脆性部は、本発明のいずれの実施形態のいずれの層または部分にも設けることができる。例えば、図７に記載の表示媒体２において、回折構造層１１と調光素子層１５との間、または回折構造層１１と調光素子層１６との間に脆性部を設けてもよい。また、脆性部は損傷した際に特定のパターンが生じるように、予めパターニングされていてもよい。
【００６１】
［ＩＩＩ．好ましい実施形態］
本発明の表示媒体は、後述する好ましい実施形態を含む。このような構造を有することにより、偽造防止、装飾、玩具、教材等の用途に用いることができる。
【００６２】
［ＩＩＩ−１：本発明の第一の態様の基本構成］
本発明の第一の態様の表示媒体は、画像表示部と、電力供給部１７とを備え、画像表示部が、調光素子層１４と、該調光素子層の表裏両面に設けられた回折構造層（１０，１１）とを備える（例えば図１参照）。
【００６３】
調光素子層１４としては、前記のようにエレクトロクロミック型調光ミラーである調光素子部層が好ましい。
【００６４】
電力供給部１７と調光素子層１４とは電気的に接続されているが、有線接続でも無線接続でもよい。後者の場合、電力供給部として前記のようなアンテナ部を採用することができる。
【００６５】
電力供給部１７は、外部電力と接続するための電力供給部、太陽電池である電力供給部、あるいはペーパー電池である電力供給部であってもよい。
【００６６】
本発明の第一の態様の表示媒体における好ましい組み合わせの例示としては、
・回折構造層／エレクトロクロミック型調光ミラーである調光素子層／外部電力と接続するための端子である電力供給部の組み合わせ；
・回折構造層／エレクトロクロミック型調光ミラーである調光素子層／アンテナ部である電力供給部の組み合わせ；
・回折構造層／エレクトロクロミック型調光ミラーである調光素子層／太陽電池である電力供給部の組み合わせ；
・回折構造層／エレクトロクロミック型調光ミラーである調光素子層／ペーパー電池である電力供給部、等を挙げることができる。
【００６７】
この態様の実施例である表示媒体１において、より具体的に説明するが、本発明の第一の態様においては、調光素子層にかける電圧を制御することで、調光素子層の光反射・透過の程度を変化させ、もって回折構造層に記録された光学的画像情報の回折光による画像化の程度を変化させることができる。実施例においては、より好ましい一実施形態として、調光素子層を透明状態１４ａと鏡面状態１４ｂにした場合について説明している。
【００６８】
さらに、本発明の第一の態様においては、調光素子層の表裏両面に回折構造層（１０及び１１）が形成されているため、表示媒体の表裏両面において回折光による画像の形成が可能であり、回折構造層１０及び１１とで、それぞれ異なる光学的画像情報を記録することにより、表示媒体の表裏両面において、回折光による、それぞれ異なる画像の形成も可能である。
【００６９】
さらに、調光素子層が、光の反射と透過を電圧で制御することができる一または複数の一定形状の制御可能部分領域を有していてもよい。たとえば、調光素子層全体が、光の反射と透過を電圧で互いに独立に制御することができる複数の制御可能部分領域により構成されていてもよい。あるいは、調光素子層全体が、光の反射と透過を電圧で互いに独立に制御することができる一又は複数の制御可能部分領域と制御不能部分領域から構成されていてもよい。ここで、制御不能部分領域は、たとえば透明状態あるいは鏡面状態（反射光による画像形成が期待できる状態）であってもよい。かかる構成を採ることで、回折光による、より多様な画像形成が可能である。
【００７０】
［ＩＩＩ−２：本発明の第二の態様の基本構成］
本発明の第二の態様の表示媒体は、積層された複数の画像表示部と、それぞれの画像表示部に電力を供給するための電力供給部１７とを備え、それぞれの画像表示部が、光の反射と透過を電圧で制御することのできる調光素子層（１５，１６）と、該調光素子層の表裏面の少なくとも一方の面に設けられた回折構造層（１０，１１）とを備える。
【００７１】
調光素子層（１５，１６）としては、前記のようにエレクトロクロミック型調光ミラーである調光素子層が好ましい。
【００７２】
電力供給部１７と調光素子層（１５，１６）とは電気的に接続されているが、有線接続でも無線接続でもよい。後者の場合、電力供給部として前記のようなアンテナ部を採用することができる。
【００７３】
電力供給部１７は、外部電力と接続するための電力供給部、太陽電池である電力供給部、あるいはペーパー電池である電力供給部であってもよい。
【００７４】
本発明の第二の態様の表示媒体における好ましい組み合わせの例示としては、
・複数の回折構造層／複数の調光素子層／複数の電力供給部の組み合わせ；
・複数の回折構造層／予め制御可能部分領域がパターン形成された複数の調光素子層／複数の電力供給部の組み合わせ；
・複数の回折構造層／マトリックス状に制御可能部分領域がパターン形成された複数の調光素子層／複数の電力供給部の組み合わせ；
・複数の回折構造層／マトリックス状に制御可能部分領域がパターン形成された複数の調光素子層／選択された調光素子層の状態のパターン信号発生部／パターン信号を受信する外部信号受信部／受信した信号を処理するＩＣチップ／ＩＣチップからの信号により電圧が変化する電力供給部の組み合わせ、等を挙げることができる。
【００７５】
本発明の第二の態様の表示媒体においては、調光素子層が２つ以上備えられているため、本発明の第一の態様よりもより多様な、回折光による画像を形成することが期待できる。
【００７６】
この態様の実施例である表示媒体２においては、２つの画像表示部が積層され、従って２つの調光素子層（１５，１６）を備える一実施形態が例示されている。また、この実施例においては、各調光素子層について１つ、合計２つの回折構造層（１０，１１）を備えた例を示している。
【００７７】
複数の画像表示部のうち、互いに隣接する２つの画像表示部の積層の仕方については複数考えられる。もっとも、できるだけ多様な表示を可能にする観点からは、互いに隣接する２つの画像表示部中の調光素子同士の間には、少なくとも一の回折構造部が介在していることが好ましい。この態様の実施例である表示媒体２では、回折構造層と調光素子層が交互に積層され、互いに隣接する２つの画像表示部中の調光素子同士の間に一の回折構造部が介在している。
【００７８】
実施例において詳しく説明するが、この表示媒体２において、好ましい一実施形態として２つの画像表示部の電圧を独立に制御すれば、種々の画像を切り替えて、それぞれ表裏面から観察することができる。また、この表示媒体２において、回折構造（１２，１３）の位置関係については、回折構造１２はその反射光が、透光性材料からなる回折構造部１０を通過して外側(表側）に出る位置にあるのに対して、回折構造１３はその反射光は調光素子部１６を通過して外側（裏側）に出る位置関係にある一実施形態を例示している。かかる相違を反映して、この表示媒体２において、表側面から観察した場合、鏡面が観察されることはないが、裏側面から観察した場合、電圧の制御により鏡面となる場合がある（図９、図１１、図１２参照）。
【００７９】
また、本態様の少なくとも一の調光素子層において、光の反射と透過を電圧で制御することができる一または複数の一定形状の制御可能部分領域を有していてもよい。たとえば、一の調光素子層全体が、光の反射と透過を電圧で互いに独立に制御することができる複数の制御可能部分領域により構成されていてもよい。あるいは、一の調光素子層全体が、光の反射と透過を電圧で互いに独立に制御することができる一又は複数の制御可能部分領域と制御不能部分領域から構成されていてもよい。ここで、制御不能部分領域は、たとえば透明状態あるいは鏡面状態（反射光による画像形成が期待できる状態）であってもよい。かかる構成を採ることで、回折光による、より多様な画像形成が可能である。
【００８０】
［ＩＩＩ−３：本発明の基本的態様と任意の構成要素との組み合わせ]
本発明の第一または第二の基本的態様と任意の構成要素の組み合わせの例示としては、
・回折構造層／調光素子層／電力供給部／接着部材の組み合わせ；
・回折構造層／調光素子層／電力供給部／接着層の組み合わせ；
・回折構造層／調光素子層／電力供給部／カバー部材の組み合わせ；
・回折構造層／調光素子層／電力供給部／接着部材／製品支持体の組み合わせ；
・回折構造層／調光素子層／電力供給部／接着層／製品支持体の組み合わせ；
・回折構造層／調光素子層／電力供給部／カバー部材／製品支持体の組み合わせ；
・回折構造層／調光素子層／電力供給部／隠蔽層の組み合わせ；
・回折構造層／調光素子層／アンテナ部である電力供給部／隠蔽層の組み合わせ；
・回折構造層／調光素子層／電力供給部／印刷層の組み合わせ；
・回折構造層／調光素子層／電力供給部／調光素子層の下層に形成された印刷層の組み合わせ；
・回折構造層／調光素子層／電力供給部／回折構造層の上層に形成された印刷層の組み合わせ；  
・回折構造層／調光素子層／電力供給部／回折構造層／調光素子部の間に形成された印刷層の組み合わせ；
・回折構造層／調光素子層／電力供給部／印刷層／接着部材の組み合わせ；
・回折構造層／調光素子層／電力供給部／印刷層／接着層の組み合わせ；
・回折構造層／調光素子層／電力供給部／印刷層／カバー部材の組み合わせ；
・回折構造層／調光素子層／電力供給部／印刷層／接着部材／製品支持体の組み合わせ；
・回折構造層／調光素子層／電力供給部／印刷層／接着層／製品支持体の組み合わせ；
・回折構造層／調光素子層／電力供給部／印刷層／カバー部材／製品支持体の組み合わせ；
・回折構造層／調光素子層／電力供給部（いずれかの層または部分が脆性化）の組み合わせ；
・回折構造層／調光素子層／電力供給部（いずれかの層または部分が物理的脆性化）の組み合わせ； 
・回折構造層／調光素子層／電力供給部（いずれかの層または部分が化学的脆性化）；
・回折構造層／調光素子層／アンテナ部である電力供給部（電力供給部が脆性化）の組み合わせ，
等を挙げることができる。
【００８１】
ここで、上記の例示は、本発明の第一の態様を用いて代表的に例示したが、本発明の第二の態様については、上記の例示において、たとえば、回折構造層、調光素子層、電力供給部をそれぞれ、複数の回折構造層、複数の調光素子層、複数の電力供給部に読み替えてもよい。
【００８２】
［ＩＩＩ−４：本発明の他の態様］
本発明の一の実施態様において、本発明の表示媒体は物品に貼付することができる。この態様における本発明の実施形態は、該表示媒体が貼付された物品である。
【００８３】
さらに、本発明の他の実施態様において、本発明の表示媒体を用い、電力供給部から調光素子層への電圧を変化させることで、回折構造層に予め記録された光学的画像情報を表示させる方法を提供する。
【００８４】
また、本発明の一実施態様において、本発明は認証および偽造防止用の表示媒体、装飾用の表示媒体、玩具用の表示媒体、又は学習教材用の表示媒体とすることができる。
【実施例】
【００８５】
以下、本発明および効果について具体的な例を用いて説明するが、実施例は本発明の適用範囲を限定するものではない。
（実施例１）
本発明の第一の態様に属する一実施形態である表示媒体１を以下のようにして作製した。
【００８６】
製造用支持体として、厚さ２５０μｍのポリエチレンテレフタレート（ＰＥＴ）板を使用した。この製造用支持体の片面に、下記組成物からなるインキをグラビア印刷法にて塗布・乾燥し、膜厚０．５μｍの剥離層を形成した。
「剥離層インキ組成物」
ポリアミドイミド樹脂          １９．５重量部
ポリエチレンパウダー            ０．５重量部
ジメチルアセトアミド          ３０．０重量部
トルエン                      ５０．０重量部
【００８７】
次に、前記剥離層上に下記組成物からなるインキをグラビア印刷法にて塗布・乾燥して膜厚１．５μｍの回折構造層１０を積層した後、予め作製した金魚と朝顔の絵柄（図３参照）の回折光パターンを発現するためのレリーフ版を、熱及び圧力を加えながら該回折構造層に押し当て、回折構造層１０に所望の回折構造１２を形成した。これにより、製造用支持体上に表側面用回折構造層を作製した。
「回折構造層インキ組成物」
アクリル樹脂                １８．０重量部
シランカップリング剤          ２．０重量部
メチルエチルケトン          ８０．０重量部
【００８８】
更に、別の製造用支持体上に前記と同様の方法で、剥離層と回折構造層１１を積層し、回折構造層１１には桜の絵柄（図４参照）の回折光パターンを発現させる回折構造１３を形成し、裏側面用回折構造転写箔を作製した。
【００８９】
次に、表側面用回折構造層１０上に、マグネシウムとニッケルの合金をスパッタリング法により、１００ｎｍの膜厚で形成し、調光素子層１４における調光ミラー層を積層した。
【００９０】
次に、前記調光ミラー層の電極となる部分に、下記組成物からなる水溶性マスクインキをグラビア印刷法にて塗布・乾燥して、膜厚５μｍの第１マスク印刷層を形成した後、パラジウムをスパッタリング法により、１００ｎｍの膜厚で形成し、調光素子層１４における触媒層を積層した。
「水溶性マスクインキ組成物」
水溶性無機質塩            １３．０重量部
親水性無機フィラー          ２．０重量部
イソプロピルアルコール    １０．０重量部
水                        ７５．０重量部
【００９１】
次に、酸化タンタルをスパッタリング法により、１００ｎｍの膜厚で形成し、調光素子層１４における電解質層を積層した。
【００９２】
次に、酸化タングステンをスパッタリング法により、１００ｎｍの膜厚で形成し、調光素子層１４におけるイオン貯蔵層を積層した。
【００９３】
次に、酸化インジウムと酸化錫の混合体（ＩＴＯ）をスパッタリング法により、１００ｎｍの膜厚で形成し、調光素子層１４における導電膜層を積層した。次いで、前記導電膜層の一部に、前記第１マスク印刷層とは異なる部分であり、もう一方の電極となる部分に、前記第１マスク印刷層と同じ組成物を同じ方法で塗布・乾燥して第２マスク印刷層を膜厚５μｍで形成した。
【００９４】
次に、下記組成物からなる密着補助層をグラビア印刷法にて塗布・乾燥して、膜厚３μｍの密着補助層を積層した。
「密着補助層用インキ組成物」
塩化ビニル酢酸ビニル共重合樹脂             １５．０重量部
アクリル樹脂                               １０．０重量部
メチルエチルケトン                         ４５．０重量部
トルエン                                   ３０．０重量部
【００９５】
次に、水洗浄にて前記第１マスク印刷層と前記第２マスク印刷層を除去し、触媒層および導電膜層の一部をそれぞれ露出させ、電極を作成した。この電極にＩＣチップ３２を接続し、さらにアンテナ３１の端部がＩＣチップ３２と接続されるように、下記組成物からなる印刷アンテナ用インキを、スクリーン印刷法にて所望のアンテナ形状に塗布・乾燥してアンテナ３１を形成し、電力供給部１７とした。
「印刷アンテナ用インキ組成物」
銀                                                ８０．０重量部
ジエチレングリコールモノエチルエーテルアセタート  ２０．０重量部
【００９６】
次に、下記組成物からなる白色隠蔽インキを、電力供給部１７が表側面から隠れるように、グラビア印刷法にて塗布・乾燥して、膜厚２μｍの隠蔽層４４を積層した。
「白色隠蔽インキ組成物」
インキ用バインダー      １０．０重量部
白色顔料                  ５．０重量部
酸化チタン              ２０．０重量部
酢酸エチル              ６５．０重量部
【００９７】
次に、前記剥離層と回折構造層１１を有する裏側面用回折構造転写箔を、ドライラミネート法にて熱をかけながら、前記密着補助層上に圧着させて貼り合わせした後、裏側面用回折構造転写箔の製造支持体を剥離層と共に剥離した。これにより表裏両面上に回折構造を備えた調光素子層１４を得た。
【００９８】
次に、回折構造層１１、電力供給部１７、隠蔽層４４を含む裏側全面を覆うように、下記組成物からなる接着層インキをグラビア印刷法にて塗布・乾燥して、膜厚５μｍの接着層４１を積層した。次いでクラフト紙（厚さ約１００μｍ）の片面にポリエチレンをラミネートし、その上にシリコン処理を施したセパレータを該接着層に仮粘着させた。
「接着層用インキ組成物」
アクリル粘着剤          ３０．０重量部
酢酸エチル              ５０．０重量部
トルエン                ２０．０重量部
【００９９】
その後、予め窓開き状態とした製品支持体４２に、セパレータを剥がして窓開き部４６と表示媒体の裏側面の回折構造層１１との位置を合わせながら製品支持体４２に貼付し、最後に製造用支持体であるＰＥＴ板を剥離層と共に剥離して、表示媒体１が貼付された物品５０を作製した（図２３、図２４）。
【０１００】
こうして得られた物品５０は、電力が供給されない状態では図５のように調光素子層１４が透明状態１４ａとなって光が透過し、調光素子層１４ａの反対側が図２のように透けて観察された。
【０１０１】
また、電力供給用の交流磁界発生装置に近づけ、調光素子層１４に＋５Ｖの電圧が印加されると、図６のように調光素子層１４全体が鏡面状態１４ｂとなって光が遮られ、表側面の回折構造層１０に光が入射すると、反射光とともに回折光１９ｂが発現し、ある観察角度において、図３のような朝顔と金魚の画像からなる回折光１９ｂを観察することができ、更に、物品５０を裏返して再び電力供給用の交流磁界発生装置に近づけ、調光素子層１４に＋５Ｖの電圧が印加されると、表側面と同様に調光素子層は全体が鏡面状態１４ｂであるため、裏側面の回折構造層１１に光が入射すると反射光とともに回折光２０ｂも発現し、ある観察角度において、図４のような桜の花の画像からなる回折光２０ｂを観察することができた。
【０１０２】
また、調光素子層１２に−５Ｖの電圧を印加すると、鏡面だった調光素子層１４全体が透明状態１４ａになって図５の状態に戻り、前記回折光画像１９ｂと２０ｂが消失した。
【０１０３】
（実施例２）
本発明の第二の態様に属する一実施形態である表示媒体２を以下のようにして作製した。
【０１０４】
製造用支持体として、厚さ２５０μｍのＰＥＴ板を使用した。この製品支持体の片面に、下記組成物からなるインキをグラビア印刷法にて塗布・乾燥し、膜厚０．５μｍの剥離層を形成した。
「剥離層インキ組成物」
ポリアミドイミド樹脂          １９．５重量部
ポリエチレンパウダー            ０．５重量部
ジメチルアセトアミド          ３０．０重量部
トルエン                      ５０．０重量部
【０１０５】
次に、前記剥離層上に下記組成物からなるインキをグラビア印刷法にて塗布・乾燥して膜厚１．５μｍの回折構造層１０を積層した後、予め作製した金魚と朝顔の絵柄（図３参照）の回折光パターンを発現するためのレリーフ版を、熱圧を加えながら回折構造層１０に押し当てるエンボス加工を行い、回折構造層１０上に所望の回折構造１２を形成した。
「回折構造層インキ組成物」
アクリル樹脂                  １８．０重量部
シランカップリング剤            ２．０重量部
メチルエチルケトン            ８０．０重量部
【０１０６】
次に、回折構造層１０上に、マグネシウムとニッケルの合金をスパッタリング法により、１００ｎｍの膜厚で形成し、調光素子層１５における調光ミラー層を積層した。
【０１０７】
次に、前記調光ミラー層の電極となる部分に、下記組成物からなる水溶性マスクインキをグラビア印刷法にて塗布・乾燥して、膜厚５μｍの第１マスク印刷層を形成した後、パラジウムをスパッタリング法により、１００ｎｍの膜厚で形成し、調光素子層１５における触媒層を積層した。
「水溶性マスクインキ組成物」
水溶性無機質塩                  １３．０重量部
親水性無機フィラー                ２．０重量部
イソプロピルアルコール          １０．０重量部
水７５．０重量部
【０１０８】
次に、アルミニウムをスパッタリング法により、１００ｎｍの膜厚で形成し、調光素子層１５におけるバッファ層を積層した。
【０１０９】
次に、酸化タンタルをスパッタリング法により、１００ｎｍの膜厚で形成し、調光素子層１５における固体電解質層を積層した。
【０１１０】
次に、酸化タングステンをスパッタリング法により、１００ｎｍの膜厚で形成し、調光素子層１５におけるイオン貯蔵層を積層した。
【０１１１】
次に、ＩＴＯをスパッタリング法により、１００ｎｍの膜厚で積層して調光素子層１５における導電膜層を形成した。
【０１１２】
次いで、前記導電膜層の一部に、前記第１マスク印刷層とは異なる部分であり、もう一方の電極となる部分に、前記第１マスク印刷層と同じ組成物を同じ方法で塗布・乾燥して第２マスク印刷層を膜厚５μｍで形成した。
【０１１３】
次に、表側面用表示部に、下記組成物からなる密着補助層をグラビア印刷法にて塗布・乾燥して、膜厚３μｍの密着補助層を積層した。
【０１１４】
「密着補助層用インキ組成物」
塩化ビニル酢酸ビニル共重合樹脂         １５．０重量部
アクリル樹脂                           １０．０重量部
メチルエチルケトン                     ４５．０重量部
トルエン                               ３０．０重量部
【０１１５】
次に、水洗浄にて前記第１マスク印刷層と前記第２マスク印刷層を除去し、触媒層および導電膜層の一部をそれぞれ露出させて電極を作成し、表側面用表示部とした。
【０１１６】
次いで、前記レリーフ版の絵柄を桜の花（図４参照）に変更し、更に前記製造用支持体を１２５μｍのＰＥＴフィルムに変更し、表側面用表示部と同じ製造方法で裏側面用表示部を作成した
次に、前記表側面表示部と裏側面表示部とを、ドライラミネート法にて熱をかけながら圧着させて貼り合わせした後、裏側面用表示部側の製造用支持体を剥離層と共に剥離した。
【０１１７】
次に露出している電極を接続部１８としてＩＣチップ３２を接続し、更にアンテナ３１の端部がＩＣチップ３２と接続されるように、下記組成物からなる印刷アンテナ用インキを、スクリーン印刷法にて所望のアンテナ形状に塗布・乾燥してアンテナ３１を形成し、電力供給部１７とした。
「印刷アンテナ用インキ組成物」    
銀                                                ８０．０重量部
ジエチレングリコールモノエチルエーテルアセタート  ２０．０重量部
【０１１８】
次に、下記組成物からなる白色隠蔽インキを、電力供給部１７が表側面から隠れるように、グラビア印刷法にて塗布・乾燥して、膜厚２μｍの隠蔽層４４を積層した。
「白色隠蔽インキ組成物」
インキ用バインダー        １０．０重量部
白色顔料                    ５．０重量部
酸化チタン                ２０．０重量部
酢酸エチル                ６５．０重量部
【０１１９】
次に、調光素子層１６，電力供給部１７、隠蔽層４４を含む裏側面全面を覆うように、下記組成物からなる接着層インキをグラビア印刷法にて塗布・乾燥して、膜厚５μｍの接着層４１を積層した。次いでクラフト紙（厚さ約１００μｍ）の片面にポリエチレンをラミネートし、その上にシリコン処理を施したセパレータを該接着層に仮粘着させた。
【０１２０】
その後、予め窓開き状態とした製品支持体４２に、セパレータを剥がして窓開き部４６と表示媒体の裏側面の回折構造層１１との位置を合わせながら製品支持体４２に貼付し、最後に製造用支持体であるＰＥＴ板から剥離層と共に剥離して、表示媒体２が貼付された物品５１を作製した（図２５、図２６参照）。
【０１２１】
こうして得られた物品５１は、電力が全く供給されない状態では調光素子層１５及び１６が図１０のように透明状態となって光が透過し、調光素子層１５及び１６の反対側が図８のように透けて観察された。
【０１２２】
次に、電力供給用の交流磁界発生装置に近づけ、調光素子部１５と１６の両方に＋５Ｖの電圧を印加すると、図１１のように調光素子層１５と１６の全面が鏡面状態（１５ｂ、１６ｂ）となり、表側面の回折構造層１０に光が入射すると、反射光とともにある角度に回折光が発現し、図３のような朝顔と金魚の画像からなる回折光を観察することができた。また、この時、裏側面では、鏡面状態の調光素子層１６によって回折構造層１１への光の入射が遮られて回折光は発現せず、図９のような鏡面への反射光だけが観察できた。
【０１２３】
次に、交流磁界発生装置に近づけ、電力供給用の磁界と調光素子層への電力供給パターンを制御する信号を物品５１のアンテナ部に送信することにより、表側面の調光素子層１５には−５Ｖの電圧を印加し、裏側面の調光素子層１６には＋５Ｖの電圧を印加すると、調光素子層１５は透明状態に戻り、調光素子層１６が鏡面となって図１２の状態となり、表側面の回折構造層１０に光が入射するとそのまま回折構造層１０と調光素子層１５とを透過して回折構造層１１まで到達し、回折構造層１１において、反射光とともに回折光が発現する。この反射光と回折光は、再び透明な調光素子層１５と回折構造層１０を透過し、ある観察角度においては、図４の桜の花の画像を反転した画像からなる回折光を観察することができ、また、別の角度からは図３のような朝顔と金魚の画像からなる回折光を観察することがきた。尚、この時、裏側面は、調光素子層１６が鏡面で入射光が遮られてしまうため回折光は発現せず、図９のような鏡面への反射光だけが観察できた。
【０１２４】
次に、電力供給用の交流磁界発生装置に近づけ、今度は裏側面調光素子層１６に−５Ｖの電圧を印加し、表側面の調光素子層１５には＋５Ｖの電圧を印加すると、裏側面の調光素子層１６は透明に変化し、調光素子層１５は鏡面となって図１３の状態となり、表側面の回折構造層１０に光が入射すると調光素子層１５で反射光とともに回折光が発現し、図３のような朝顔と金魚の画像からなる回折光を観察することができた。また、この時、裏側面は、調光素子層１６が透明であるため、裏側面への入射光は調光素子層１６と回折構造層１１とを透過して調光素子層１５の裏側面で反射し、再び回折構造層１１と調光素子層１６とを透過するが、この時、入射時と反射時とで回折構造層１１にて２度、図４の桜の花の画像である回折光が発生するため、回折構造１３と調光素子層１５との距離や、通過する層の界面間の屈折率差による反射などにより回折光は弱まりながら若干ずれた位置に複数発現する。しかし、実際には裏側面では図４の桜の花の画像を若干視認性は低下しながらも観察することができた。
【０１２５】
（実施例３）
本発明の第二の態様に属する他の一実施形態である表示媒体３を以下のようにして作製した。
【０１２６】
製造用支持体として、厚さ２５０μｍのＰＥＴ板を使用した。この製造用支持体の片面に、下記組成物からなるインキをグラビア印刷法にて塗布・乾燥し、膜厚０．５μｍの剥離層を形成した。
「剥離層インキ組成物」
ポリアミドイミド樹脂          １９．５重量部
ポリエチレンパウダー            ０．５重量部
ジメチルアセトアミド          ３０．０重量部
トルエン                      ５０．０重量部
【０１２７】
次に、前記剥離層上に下記組成物からなるインキをグラビア印刷法にて塗布・乾燥して膜厚１．５μｍの回折構造層１０を積層した後、予め作製した幾何学模様の絵柄（図１７参照）の回折光パターンを発現するためのレリーフ版を、熱圧を加えながら回折構造層１０に押し当てるエンボス加工を行い、回折構造層１０上に所望の回折構造１２を形成した。
「回折構造層インキ組成物」
アクリル樹脂                  １８．０重量部
シランカップリング剤            ２．０重量部
メチルエチルケトン            ８０．０重量部
【０１２８】
次に、回折構造層１０上に、マグネシウムとニッケルの合金をスパッタリング法により、１００ｎｍの膜厚で形成し、調光素子層１５における未加工調光ミラー層を積層した。更に下記組成物からなるフォトレジスト用インキをグラビア印刷法にて塗布・乾燥して厚さ６μｍのフォトレジスト層を形成し、更に前記回折構造１２の幾何学模様に対応する模様の露光用マスク版を作製し、前記フォトレジスト層をこの露光マスクで覆った後、露光用光線を１２０秒間露光マスク越しにフォトレジスト層に照射した。露光されたフォトレジスト層は、エッチング加工により不要なマグネシウムとニッケルの合金膜を除去し、更に残ったマスク層を酸素ガスと紫外線の化学反応を利用したプラズマアッシング装置で除去し、所望の形状にエッチングした形状加工調光ミラー層を形成した。
「フォトレジスト用インキ組成物」
フォトレジスト                ２５．０重量部
メチルエチルケトン            ７５．０重量部
【０１２９】
次に、前記形状加工調光ミラー層の電極となる部分に、下記組成物からなる水溶性マスクインキをグラビア印刷法にて塗布・乾燥して、膜厚５μｍの第１マスク印刷層を形成した後、パラジウムをスパッタリング法により、１００ｎｍの膜厚で形成し、調光素子層１５における触媒層を積層した。
「水溶性マスクインキ組成物」
水溶性無機質塩                    １３．０重量部
親水性無機フィラー                  ２．０重量部
イソプロピルアルコール            １０．０重量部
水７５．０重量部
【０１３０】
次に、アルミニウムをスパッタリング法により、１００ｎｍの膜厚で形成し、調光素子層１５におけるバッファ層を積層した。
【０１３１】
次に、酸化タンタルをスパッタリング法により、１００ｎｍの膜厚で形成し、調光素子層１５における固体電解質層を積層した。
【０１３２】
次に、酸化タングステンをスパッタリング法により、１００ｎｍの膜厚で形成し、調光素子層１５におけるイオン貯蔵層を積層した。
【０１３３】
次に、ＩＴＯをスパッタリング法により、１００ｎｍの膜厚で積層して調光素子層１５における導電膜層を形成した。次いで、前記導電膜層の一部に、前記第１マスク印刷層とは異なる部分であり、もう一方の電極となる部分に、前記第１マスク印刷層と同じ組成物を同じ方法で塗布・乾燥して第２マスク印刷層を膜厚５μｍで形成した。
【０１３４】
次に、表側面用表示部に、下記組成物からなる密着補助層をグラビア印刷法にて塗布・乾燥して、膜厚３μｍの密着補助層を積層した。
【０１３５】
「密着補助層用インキ組成物」
塩化ビニル酢酸ビニル共重合樹脂             １５．０重量部
アクリル樹脂                               １０．０重量部
メチルエチルケトン                         ４５．０重量部
トルエン                                   ３０．０重量部
【０１３６】
次に、水洗浄にて前記第１マスク印刷層と前記第２マスク印刷層を除去し、触媒層および導電膜層の一部をそれぞれ露出させて電極を作成し、表側面用表示部とした。ここで、この表側面用表示部に含まれる調光素子層１５は、形状加工調光ミラー層を含む制御可能部分領域と、形状加工調光ミラー層を含まない制御不能部分領域からなっている。
【０１３７】
次いで、表側面用表示部と同様の製造方法で裏側面用表示部を作成した。もっとも、以下の（ｉ）〜（ｉｉｉ）の点で表側面用表示部の製造方法とは異なる。
【０１３８】
（ｉ）前記レリーフ版の絵柄を、表面の幾何学模様と組み合わせて新たな模様となるように設計された別の幾何学模様や文字からなる絵柄（図１６参照）に変更したこと。
【０１３９】
（ｉｉ）更に前記製造用支持体を１２５μｍのＰＥＴフィルムに変更したこと。
【０１４０】
（ｉｉｉ）更に前記形状加工調光ミラー層を、未加工調光ミラー層に変更したこと。  ここで、この裏側面用表示部に含まれる調光素子層１６は、未加工調光ミラー層を用いているため、調光素子層１６全体が制御可能領域となっている。
【０１４１】
次に、前記表側面表示部と裏側面表示部とを、ドライラミネート法にて熱をかけながら圧着させて貼り合わせた後、裏側面用表示部側の製造用支持体を剥離層と共に剥離した。
【０１４２】
露出している電極を接続部１８としてＩＣチップ３２を接続し、更にアンテナ３１の端部がＩＣチップ３２と接続されるように、下記組成物からなる印刷アンテナ用インキを、スクリーン印刷法にて所望のアンテナ形状に塗布・乾燥してアンテナ３１を形成し、電力供給部１７とした。
「印刷アンテナ用インキ組成物」
銀                                                ８０．０重量部
ジエチレングリコールモノエチルエーテルアセタート  ２０．０重量部
【０１４３】
次に、下記組成物からなる白色隠蔽インキを、電力供給部１７が表側面から隠れるように、グラビア印刷法にて塗布・乾燥して、膜厚２μｍの隠蔽層４４を積層した。
「白色隠蔽インキ組成物」
インキ用バインダー              １０．０重量部
白色顔料                          ５．０重量部
酸化チタン                      ２０．０重量部
酢酸エチル                      ６５．０重量部
【０１４４】
次に、調光素子層１６と電力供給部１７と隠蔽層４４を含む裏側面全面を覆うように、下記組成物からなる接着層インキをグラビア印刷法にて塗布・乾燥して、膜厚５μｍの接着層４１を積層した。次いでクラフト紙（厚さ約１００μｍ）の片面にポリエチレンをラミネートし、その上にシリコン処理を施したセパレータを該接着層に仮粘着させた。
【０１４５】
その後、予め窓開き状態とした製品支持体４２に、セパレータを剥がして窓開き部と表示媒体の裏側面の回折構造層１１との位置を合わせながら製品支持体４２に貼付し、最後に製造用支持体であるＰＥＴ板から剥離層と共に剥離して、表示媒体３が貼付された物品５２を作製した（図２７、図２８参照）。
【０１４６】
こうして得られた物品５２は、電力が全く供給されない状態では調光素子層１５及び１６が図１９のように透明状態となって光が透過し、調光素子層１５及び１６の反対側が図８のように透けて観察された。
【０１４７】
次に、電力供給用の交流磁界発生装置に近づけ、調光素子層１５と１６の両方に＋５Ｖの電圧を印加すると、調光素子層１５は予め任意のパターン状に形成されている調光ミラー層が鏡面になり、調光ミラー層が無い部分は透明となる（１５ｃ、図２０参照）。一方、調光素子層１６は全面が鏡面状態１６ｂとなり、表側面の回折構造層１０に光が入射すると、調光素子層１５の鏡面部分では反射光とともに、ある角度で幾何学模様の回折光が発現し、調光素子層１５の透明部分では、入射光が下層の回折構造層１１にまで到達し、調光素子層１６で反射するとともに回折構造１３による回折光が発現して再び調光素子層１５と回折構造層１０を透過して表側面に戻る。また、本実施例では、一実施形態として回折構造１２と１３の回折光画像は同じ角度に発現するように記録されており、更に位置合わせもなされているので、ある観察角度において図１５のような幾何学模様を観察することができた。
【０１４８】
一方、この時、裏側面では、鏡面状態の調光素子層１６によって回折構造層１１への光の入射が遮られて回折光は発現せず、図９のような反射光だけが観察できた。
【０１４９】
次に、交流磁界発生装置に近づけ、電力供給用の磁界と調光素子層への電力供給パターンを制御する信号を物品５２のアンテナ部に送信することにより、表側面の調光素子層１５には−５Ｖの電圧を印加し、裏側面の調光素子層１６には＋５Ｖの電圧を印加すると、調光素子層１５は全体が透明状態１５ａとなり、調光素子層１６は鏡面１６ｂとなって図２１の状態となる。このため表側面の回折構造層１０に光が入射するとそのまま回折構造層１０と調光素子層１５とを透過して回折構造層１１まで到達し、回折構造層１１において、反射光とともに回折構造１３による回折光が発現する。この回折構造１３による回折光は、再び透明な調光素子層１５と回折構造層１０を透過して図１６のような画像を与えるはずである。もっとも、回折構造１２と１３の回折光画像は同じ角度に発現するように記録されており、更に位置合わせもなされているので、入射時と反射後とで回折構造１２を透過した光で生じる回折光と、前記回折構造１３で発現した回折光は、表側面からは２つの回折光画像として組み合わさり結局、図１５のような画像として観察することができた。但し、回折構造１３による画像は、透明状態の調光素子層１５と他層との界面で屈折率差による反射が起こるため、回折構造１２による画像よりも輝度が低下した状態で観察された。また、この時、裏側面は、調光素子層１６が鏡面のために入射が遮られてしまうため回折光は発現せず、図９のような鏡面による反射光だけが観察できた。
【０１５０】
次に、電力供給用の交流磁界発生装置に近づけ、今度は表側面の調光素子層１５に＋５Ｖの電圧を印加し、裏側面の調光素子１６に−５Ｖを印加すると、裏側面の調光素子層１６は透明になり、調光素子層１５の幾何学模様に形成された調光ミラー層だけが鏡面となって図２２の状態となり、表側面の回折構造層１０に光が入射すると、鏡面部分では調光素子層１５で反射光とともに回折構造１２による回折光である、図１７のような幾何学模様の画像からなる回折光を観察することができ、透明部分では入射光がそのまま全ての層を透過し、調光素子層１５及び１６の反対側が透けて観察された。また、この時、裏側面は、調光素子層１６が透明であるため、裏側面への入射光は調光素子層１６と回折構造層１１とを透過して調光素子層１５の裏側面で反射し、再び回折構造層１１と調光素子層１６とを透過する。この時、入射時と反射時とで回折構造層１１にて２度回折光が発生するが、回折構造１３と調光素子層１５との距離や、通過する層の界面間の屈折率差による反射などにより回折光は弱まりながら若干ずれた位置に複数発現する。しかし、実際には裏側面では図１８の幾何学模様の画像を若干視認性は低下しながらも観察することができた。
【０１５１】
ここで、実施例１乃至３における表示媒体１乃至３の調光素子層が、鏡面状態や透明状態の組み合わせによって、回折光画像がどのように見えるのかを以下の表１（表示媒体１），表２（表示媒体２）及び表３（表示媒体３）に示す。
【０１５２】
【表１】
2018013706.tif 000003
【０１５３】
【表２】
2018013706.tif 000004
【０１５４】
【表３】
2018013706.tif 000005
【０１５５】
ここで、表２中の＊１は以下の注記を示す。
＊１：観察角度が異なる２つの画像
このように、本発明の表示媒体は、記録されている光学的画像情報の表示を、同一視野からの観察中及び表側面と裏側面の観察において、任意に変更することが可能であった。
【符号の説明】
【０１５６】
１   本発明の第一の態様の一実施形態である表示媒体１
２   本発明の第二の態様の一実施形態である表示媒体２
３   本発明の第二の態様の他の一実施形態である表示媒体３
１０   回折構造層１（表側面）
１１   回折構造層２（裏側面）
１２   回折構造層１の回折構造
１３   回折構造層２の回折構造
１４   調光素子層
１４ａ 透明状態の調光素子層
１４ｂ 鏡面状態の調光素子層
１５   調光素子層１（表側面）
１５ａ 透明状態の調光素子層１
１５ｂ 鏡面状態の調光素子層１
１５ｃ 一部が鏡面状態の調光素子層１
１６   調光素子層２（裏側面）
１６ａ 透明状態の調光素子層２
１６ｂ 鏡面状態の調光素子層２
１７   電力供給部
１８   接続部
１９ａ 表側面で観察される透過光
１９ｂ 表側面で観察される光学的画像情報
２０ａ 裏側面で観察される透過光
２０ｂ 裏側面で観察される光学的画像情報
２０ｃ 裏側面で観察される反射光
３１ アンテナ
３２ ＩＣチップ
４１ 接着層
４２ 製品支持体
４３ カバー部材
４４ 隠蔽層
４５ 印刷層
４６ 窓開き部
５０ 表示媒体１が取り付けられた物品
５１ 表示媒体２が取り付けられた物品
５２ 表示媒体３が取り付けられた物品
【図１】
2018013706.tif 000006
【図２】
2018013706.tif 000007
【図３】
2018013706.tif 000008
【図４】
2018013706.tif 000009
【図５】
2018013706.tif 000010
【図６】
2018013706.tif 000011
【図７】
2018013706.tif 000012
【図８】
2018013706.tif 000013
【図９】
2018013706.tif 000014
【図１０】
2018013706.tif 000015
【図１１】
2018013706.tif 000016
【図１２】
2018013706.tif 000017
【図１３】
2018013706.tif 000018
【図１４】
2018013706.tif 000019
【図１５】
2018013706.tif 000020
【図１６】
2018013706.tif 000021
【図１７】
2018013706.tif 000022
【図１８】
2018013706.tif 000023
【図１９】
2018013706.tif 000024
【図２０】
2018013706.tif 000025
【図２１】
2018013706.tif 000026
【図２２】
2018013706.tif 000027
【図２３】
2018013706.tif 000028
【図２４】
2018013706.tif 000029
【図２５】
2018013706.tif 000030
【図２６】
2018013706.tif 000031
【図２７】
2018013706.tif 000032
【図２８】
2018013706.tif 000033